【手続補正書】
【提出日】平成23年9月8日(2011.9.8)
【手続補正１】
【補正対象書類名】特許請求の範囲
【補正対象項目名】全文
【補正方法】変更
【補正の内容】
【特許請求の範囲】
【請求項１】
超音波映像を生成する超音波映像生成部と、
ユーザからタッチインタラクションが入力されるタッチ入力部と、
前記タッチ入力部における前記タッチインタラクションを感知する感知センサと、
前記感知されたタッチインタラクションの指令内容に従って前記超音波映像を制御する制御部と、
前記制御部の制御に従って前記超音波映像を表示する表示部と、
を含み、
前記タッチインタラクションは、前記タッチ入力部に対するマルチタッチが可能な１つ以上のタッチ操作を含む超音波診断装置。
【請求項２】
前記制御部は、
前記超音波映像をスキャンしている時、前記タッチ入力部が前記タッチインタラクションを感知すると、その指令内容に従って前記超音波映像に対するイメージまたは状態を変更するように制御する請求項１に記載の超音波診断装置。
【請求項３】
前記制御部は、
前記超音波映像をスキャンしている時、前記感知されたタッチインタラクションが上下にドラッグする操作である場合、前記超音波映像のイメージに対する表示の深さを調節するように制御する請求項２に記載の超音波診断装置。
【請求項４】
前記制御部は、
前記超音波映像をスキャンしている時、前記感知されたタッチインタラクションが１回のクリック操作である場合、前記超音波映像の最後のイメージを表示するフリーズ（凍結）状態に変更するように制御する請求項２に記載の超音波診断装置。
【請求項５】
前記制御部は、
前記超音波映像をスキャンしている時、前記感知されたタッチインタラクションが２つの地点をドラッグする操作である場合、前記超音波映像のズーム機能を働かせるように制御する請求項２に記載の超音波診断装置。
【請求項６】
前記制御部は、
前記超音波映像をスキャンしている時、前記感知されたタッチインタラクションが円形ドラッグ操作である場合、前記超音波映像を回転するように制御する請求項２に記載の超音波診断装置。
【請求項７】
前記制御部は、
前記超音波映像をスキャンしている時、前記感知されたタッチインタラクションが１地点を押し続ける操作である場合、前記超音波映像に対するシネ（Ｃｉｎｅ）イメージを格納するように制御する請求項２に記載の超音波診断装置。
【請求項８】
前記制御部は、
前記フリーズ状態において、前記感知されたタッチインタラクションが１回のクリックである場合、前記超音波映像をライブ状態に変更するように制御する請求項４に記載の超音波診断装置。
【請求項９】
前記制御部は、
前記フリーズ状態において、前記感知されたタッチインタラクションが左右に速度差を有する線形の動きである場合、イメージ探索バーの移動を制御する請求項４に記載の超音波診断装置。
【請求項１０】
前記制御部は、
前記フリーズ状態において、前記感知されたタッチインタラクションがサムネイルに対して上下または左右に速度差を有する線形の動きである場合、サムネイルページを転換するように制御する請求項４に記載の超音波診断装置。
【請求項１１】
前記制御部は、
前記フリーズ状態において、前記感知されたタッチインタラクションが１地点を押し続ける操作である場合、前記超音波映像に対するイメージを格納するように制御する請求項４に記載の超音波診断装置。
【請求項１２】
前記制御部は、
前記超音波映像を表示するモード別に、前記感知されたタッチインタラクションに対応する超音波映像の表示状態（表示モード）を変更させるように制御する請求項１に記載の超音波診断装置。
【請求項１３】
前記制御部は、
前記超音波映像を表示する前記モードがＭモードであり、前記感知されたタッチインタラクションが左右にドラッグする操作である場合、ｍライン（Ｍモードライン）を移動させるように制御する請求項１２に記載の超音波診断装置。
【請求項１４】
前記制御部は、
前記超音波映像を表示する前記モードがＰＷモードであり、前記感知されたタッチインタラクションが上下または左右にドラッグする操作である場合、ＳＶ（Ｓａｍｐｌｅ  Ｖｏｌｕｍｅ）の位置を移動するように制御し、また、前記感知されたタッチインタラクションが同時に２つ以上の地点をタッチする操作である場合、前記ＳＶの大きさを変更するように制御する請求項１２に記載の超音波診断装置。
【請求項１５】
前記制御部は、
前記超音波映像を表示する前記モードがＣモードであり、前記感知されたタッチインタラクションが上下または左右にドラッグする操作である場合、ＲＯＩの位置を変更するように制御し、また、前記感知されたタッチインタラクションが同時に２つ以上の地点をタッチする操作である場合、前記ＲＯＩの大きさを変更するように制御する請求項１２に記載の超音波診断装置。
【請求項１６】
前記制御部は、
前記超音波映像を表示する前記モードがＰＤモードであり、前記感知されたタッチインタラクションが上下または左右にドラッグする操作である場合、ＲＯＩの位置を変更するように制御し、また、前記感知されたタッチインタラクションが同時に２つ以上の地点をタッチする操作である場合、前記ＲＯＩの大きさを変更するように制御する請求項１２に記載の超音波診断装置。
【請求項１７】
前記制御部は、
前記超音波映像を表示する前記モードが３Ｄスタンバイ状態であり、前記感知されたタッチインタラクションが上下または左右にドラッグする操作である場合、ＲＯＩの位置を変更するように制御し、また、前記感知されたタッチインタラクションが同時に２つ以上の地点をタッチする操作である場合、前記ＲＯＩの大きさを変更するように制御する請求項１２に記載の超音波診断装置。
【請求項１８】
タッチ入力部を有する超音波診断装置で超音波映像の表示を制御する方法であって、
前記超音波映像を生成する段階と、
前記タッチ入力部を通じてユーザからタッチインタラクションの入力を受ける段階と、
前記タッチ入力部から入力された前記タッチインタラクションを感知する段階と、
前記感知されたタッチインタラクションによって前記生成された超音波映像を処理することで、前記処理された超音波映像のイメージまたは表示状態を制御する段階と、
前記制御されたイメージまたは表示状態で前記処理された超音波映像を表示する段階と、を含む超音波診断装置で超音波映像の表示を制御する方法。
【請求項１９】
前記感知する段階は、前記超音波映像がスキャンされる間に前記タッチインタラクションを感知する段階を含む請求項１８に記載の方法。
【請求項２０】
前記制御する段階は、
前記超音波映像をスキャンしている時、前記感知されたタッチインタラクションが前記タッチ入力部を上下にドラッグする動作である場合、前記超音波映像の前記イメージに対する深さを調節するように制御する段階を含む請求項１９に記載の方法。
【請求項２１】
前記制御する段階は、
前記超音波映像をスキャンしている時、前記感知されたタッチインタラクションが前記タッチ入力部を１回クリックする動作である場合、前記超音波映像の最後のイメージを表示するフリーズ（ｆｒｅｅｚｅ）状態に変更するように制御する段階と、
前記フリーズ状態において、前記感知されたタッチインタラクションが前記１回クリックである場合、前記フリーズ状態が前記超音波映像を得るライブ（ｌｉｖｅ）状態に変更するように制御する段階とを含む請求項１９に記載の方法。
【請求項２２】
前記制御する段階は、
前記超音波映像をスキャンしている時、前記感知されたタッチインタラクションが前記タッチ入力部の２つの地点をドラッグする動作である場合、前記超音波映像に対するズーム（ｚｏｏｍ）機能を制御する段階を含む請求項２１に記載の方法。
【請求項２３】
前記制御する段階は、
前記イメージのフリーズ状態において、前記感知されたタッチインタラクションが前記タッチ入力部の左右に速度差を有する線形の動きであるフリック（ｆｌｉｃｋ）動作である場合、イメージ探索バーの移動を制御する段階を含む請求項１９に記載の方法。
【請求項２４】
前記制御する段階は、
前記フリーズ状態において、前記感知されたタッチインタラクションがサムネイル（ｔｈｕｍｂｎａｉｌ）に対して前記タッチ入力部の上下または左右に速度差を有する線形の動きであるフリック動作である場合、サムネイルページを転換するように制御する段階を含む請求項２３に記載の方法。
【請求項２５】
前記制御する段階は、
前記超音波映像をスキャンしている時、前記感知されたタッチインタラクションが円形ドラッグ動作である場合、前記超音波映像を回転させるように制御する段階を含む請求項１９に記載の方法。
【請求項２６】
前記制御する段階は、
前記超音波映像をスキャンしている時、前記感知されたタッチインタラクションが前記タッチ入力部の１地点を押し続ける動作である場合、前記超音波映像に対するシネ(Ｃｉｎｅ)イメージを格納するように制御する段階を含む請求項１９に記載の方法。
【請求項２７】
前記タッチインタラクションは、マルチタッチ動作を含む請求項１８に記載の方法。
【請求項２８】
前記制御する段階は、
前記超音波映像を表示するディスプレイモード（前記表示状態）を変更するように制御する段階を含む請求項１８に記載の方法。
【請求項２９】
前記制御する段階は、
前記ディスプレイモードがＭモードであり、前記感知されたタッチインタラクションが前記タッチ入力部を左右にドラッグする動作である場合、ｍライン（Ｍモードライン）を移動させるように制御する段階を含む請求項２８に記載の方法。
【請求項３０】
前記制御する段階は、
前記ディスプレイモードがＰＷモードであり、前記感知されたタッチインタラクションが前記タッチ入力部を上下または左右にドラッグする動作である場合、ＳＶ（Ｓａｍｐｌｅ  Ｖｏｌｕｍｅ）の位置を移動させるように制御する段階、または前記ディスプレイモードが前記ＰＷモードであり、前記感知されたタッチインタラクションが同時に前記タッチ入力部の２つ以上の地点をタッチする動作である場合、前記ＳＶの大きさを変更するように制御する段階を含む請求項２８に記載の方法。
【請求項３１】
前記制御する段階は、
前記ディスプレイモードがＣモードであり、前記感知されたタッチインタラクションが前記タッチ入力部を上下または左右にドラッグする動作である場合、ＲＯＩ（Ｒｅａｇｉｏｎ  Ｏｆ  Ｉｎｔｅｒｅｓｔ）の位置を変更するように制御する段階、または前記ディスプレイモードが前記Ｃモードであり、前記感知されたタッチインタラクションが同時に前記タッチ入力部の２つ以上の地点をタッチする動作である場合、前記ＲＯＩの大きさを変更するように制御する段階を含む請求項２８に記載の方法。
【請求項３２】
前記制御する段階は、
前記ディスプレイモードがＰＤモードであり、前記感知されたタッチインタラクションが前記タッチ入力部を上下または左右にドラッグする動作である場合、ＲＯＩ（Ｒｅａｇｉｏｎ  Ｏｆ  Ｉｎｔｅｒｅｓｔ）の位置を変更するように制御する段階、または前記ディスプレイモードが前記ＰＤモードであり、前記感知されたタッチインタラクションが同時に前記タッチ入力部の２つ以上の地点をタッチする動作である場合、前記ＲＯＩの大きさを変更するように制御する段階を含む請求項２８に記載の方法。
【請求項３３】
前記制御する段階は、
前記ディスプレイモードが３Ｄスタンバイ（Ｓｔａｎｄｂｙ）モードであり、前記感知されたタッチインタラクションが前記タッチ入力部を上下または左右にドラッグする動作である場合、ＲＯＩ（Ｒｅａｇｉｏｎ  Ｏｆ  Ｉｎｔｅｒｅｓｔ）の位置を変更するように制御する段階、または前記ディスプレイモードが前記３Ｄスタンバイ（Ｓｔａｎｄｂｙ）モードであり、前記感知されたタッチインタラクションが同時に前記タッチ入力部の２つ以上の地点をタッチする動作である場合、前記ＲＯＩの大きさを変更するように制御する段階を含む請求項２８に記載の方法。